Podtech/llm-jp-corpus-v4-ja_patent huggingface dataset:
(57)【要約】【課題】自然エネルギーを活用し、新車・中古車を問わず、安全かつ簡単に自動車の排気ガスを削減し、低燃費を実現させることができる装置を提供する。【解決手段】自然の光と、ピラミッド容器と、内臓されたセラミックの組み合わせによって発生する自然エネルギーを用いて、車の走行時の振動や、エネルギーロスを軽減し、燃料を完全燃焼に近づけ、ガソリン自動車における排気ガスの７５％以上削減と、低燃費２０％前後を実現、自動車用地球温暖化防止装置として、安定した効果が得られる。【選択図】図２
2007064193.tif 000002
【特許請求の範囲】
【請求項１】
光が当たる事により、ピラミッド型容器と、内臓された５ｍｍ〜２０ｍｍの遠赤外線セラミックスや、カラーセラミックスの組み合わせにより発生する自然エネルギーを用いて、車の走行時の振動やエネルギーロスを軽減し、燃料を完全燃焼に近づけて、新車・中古車を問わず、車の排気ガス削減と、低燃費を実現させる手段とからなる自動車用地球温暖化防止装置
【発明の詳細な説明】
【技術分野】
【０００１】  本発明は、自動車の排気ガスによる、地球温暖化を防止する為の、排気ガスの削減と、低燃費装置に関するものである。
【背景技術】
【０００２】    国土交通省２００５年ガソリン車における排気ガス規制値で、５０％削減と７５％削減の２種を用意、新基準の７５％削減は現在の認定車と比べ窒素酸化物がほぼ半分、世界で最も厳しいカリフォルニヤ州のＳＵＬＥＶに迫る現在の市販車で、この認定を受けられそうなのは国内で２社、２車種程度です。（非特許文献１）
【非特許文献１】  ２００３年（平成１５年）９月１１日（木）朝日新聞より
【発明の開示】
【発明が解決しょうとする課題】
【０００３】    排気ガスを削減したり、低燃費を実現するには時間・労力・経費を多く用し、現在走行中の中古車等には、何ら有効に利用出来ないという問題点があった。
【課題を解決するための手段】
【０００４】    そこで本発明は、車内ウインドガラスの前面中央ダッシュボード上や、燃料タンク上に設置し、光が当たることにより、ピラミッド型容器と、内臓された５ｍｍ〜２０ｍｍの遠赤外線セラミックスや、カラーセラミックスの組み合わせから発生する自然エネルギーを用いて、走行時の車の振動やエネルギーロスを軽減し、燃料を完全燃焼に近づけて、新車・中古車を問わず、車の排気ガス削減と低燃費を実現させる手段とからなる、自動車用地球温暖化防止装置として構成するものである。
【発明の効果】
【０００５】    本発明の自動車用排気ガス削減・低燃費装置は、無尽蔵でクリーンな光をエネルギー源として用いることにより、環境汚染がなく、メンテナンスも不用である。
ガソリン車におけるアイドリング時の排気ガスは７５％以上を削減し、低燃費は２０％前後実現します。（車体検査時測定済）
【０００６】車体検査時におけるガソリン車の排気ガス比較例
アイドリング時におけるＣＯ・ＨＣ濃度
［例題１］
車種トヨタコルサ走行距離５４，０００ｋｍ
使用前  ＣＯ−０．３％        ＨＣ−９０ＰＰＭ
使用後  ＣＯ−０．０５％以下  ＨＣ−１０ＰＰＭ
［例題２］
車種フォルクスワーゲンＧＦ−９ＣＡＱＹ（新車）
使用前  ＣＯ−０．０５％      ＨＣ−２０ＰＰＭ
使用後  ＣＯ−０％            ＨＣ−５ＰＰＭ
【発明を実施するための最良の形態】
【０００７】    以下本発明の最良の実施形態を図面に基づき説明する。【０００８】    図１に自動車用排気ガス削減・低燃費装置を示すように、基本の下部には５ｍｍ〜２０ｍｍの球状セラミックスを組み合わせ、ピラミット状に組み立てて安定した状態で図２のようにして組み立てが完了します。この状態で車内のウインドガラス前面中央ダッシュボード上や、燃料タンク上に設置します。【０００９】    また本発明は、以上の実施形態に限定されるものではなく、基体の形状など適宜設計変更できるものである。
【産業上の利用可能性】
【００１０】    本発明の自動車用排気ガス削減・低燃費装置は、無尽蔵でクリーンな光をエネルギー源とし、環境汚染がなくメンテナンスも不用であり、車種を問わず簡単に車内のウインドガラス前面中央のダッシュボード上や、燃料タンク上に設置可能であり、広く社会に地球温暖化防止装置として貢献することができます。
【図面の簡単な説明】
【００１１】
【図１】本発明の自動車用排気ガス削減・低燃費装置を示す上部から見た平面図である。
【図２】本発明の自動車用排気ガス削減・低燃費装置の実施形態を示す断面図である。
【図３】本発明の自動車用排気ガス削減・低燃費装置を示す上部から見た平面図である。
【図４】本発明の自動車用排気ガス削減・低燃費装置の実施形態を示す断面図である。
【符号の説明】
【００１２】    １・・・基体  ２・・・カラーセラミックス  ３・・・遠赤外線セラミックス
【図１】
2007064193.tif 000003
【図２】
2007064193.tif 000004
【図３】
2007064193.tif 000005
【図４】
2007064193.tif 000006
(57)【要約】【課題】  この発明は、地震や災害のとき地域住民の飲料水や消火用水確保のためのタンクから給水を受ける場合、配管が破損し多大の損失と被害を防ぐため動力を使わず流路を自動的に緊急遮断するものである。【解決の手段】  緊急時ボールバルブによって自動遮断するものである。鋼球が受け台の凹みの上におかれ鋼球の頂点には、ラックギヤの一端がのせられ、ラックギヤと噛み合うピニオンの軸は、バルブのステムと一体化され地震が設定以上の強さになった場合鋼球が受け台からはづれると同時にラックギヤが鋼球の受け台の上に落下する。ラックギヤが落下と同時にピニオンが９０°回転しボールバルブが閉止となるものである。【選択図】  図１
2007064470.tif 000002
【特許請求の範囲】
【請求項１】
凹みをつけてある台板上に鋼球が設置されその鋼球の頂点にラックギヤの一端をのせ、設定以上の強い地震の振れが発生した場合に鋼球が凹みからはずれ、ラックギヤが台板に落下し、ラックギヤに噛み合うピニオンを９０°回転させることでボールバルブが閉止されることを特徴とする流体緊急遮断装置。
【発明の詳細な説明】
【技術分野】
【０００１】  本発明は動力を使用せず設定以上の強い地震発生の場合瞬時に流体の流路を自動的に遮断する装置に関するものである。
【背景技術】
【０００２】  地震発生の場合瞬時に流体の流路を自動遮断する装置として特許文献１に示したようなものが提案されている。この発明は、電気を動力として作動させバックアップ電源も備えているなどコスト高であり、又、バックアップ電源等の定期保守作業なども必要であり維持作業が大変であるなどの問題があった。
【特許文献１】特開平１０−２６６２８１
【発明が解決しようとする課題】
【０００３】  本発明は、動力を使わずに設定以上の強い地震が発生した場合、流体の流路を緊急遮断する装置を課題とする。
【課題を解決するための手段】
【０００４】  上記課題を達成すべく鋭意検討した結果、本発明に至った。
本発明は、凹みをつけてある台板上に鋼球が設置されその鋼球の頂点にラックギヤの一端をのせ、設定以上の強い地震の振れが発生した場合に鋼球が凹みからはずれ、ラックギヤが台板に落下し、ラックギヤに噛み合うピニオンを９０°回転させることでボールバルブが閉止されることを特徴とする流体緊急遮断装置である。
【発明の効果】
【０００５】  本発明は、地震発生の場合、住民の避難場所に飲料水や消火用水として設置された給水タンクから給水を受ける水の配管が破損した場合、漏水による損失や被害を最小限に抑えられる。これは、水のみならずあらゆる流体に適用される。
【発明を実施するための最良の形態】
【０００６】  本発明の形態を図１、図２、図３に示した。凹みをつけた台板２に鋼球１をのせその頂点にラックギヤ３の一端をのせ、設定以上の地震発生時には鋼球がこの凹みからはずれラックギヤ３が凹みの台板２の上に落下する。【０００７】  ラックギヤが落下するとそれと噛み合うピニオンが回転される。ラックギヤが落下する距離は、鋼球の直径とほぼ等しい、それがピニオン軸を９０°回転するように設定する。ピニオン軸は、バルブのステムと一体化されているのでボールバルブが９０°回転して流路が遮断される。【０００８】  ボールバルブ開閉のトルクは、バルブの口径によって異なるが使用するボールバルブ開閉トルクに合わせて鋼球の直径、落下するラックギヤの重さと補助のオモリとピニオンの半径を設定する。震度によるこのラックギヤの落下の調整は、凹みの形状によってなされるものである。
【図面の簡単な説明】
【０００９】
【図１】  本発明による流体対震自動遮断装置の正面図である。
【図２】  本発明による流体対震自動遮断装置の平面図である。
【図３】  本発明による流体対震自動遮断装置の側面図である。
【図４】  本発明による流体対震自動遮断装置の正面図であり、強い地震により鋼球がはずれラックギヤが落下した図である。
【図５】  バルブのステムがピニオンの軸と一体でありバルブが開放され正常の流れを示す図である。
【図６】  バルブのステムがピニオンの軸と一体化されピニオンが９０°回転され流路が遮断された状態を示す図である
【符号の説明】
【００１０】  １は、鋼球
２は、鋼球の受け台
３は、ラックギヤ
４は、補助オモリ
５は、ラックギヤ落下のガイドローラー（樹脂製）であり、ラックギヤの背面にあてる。
６は、ラックギヤ落下のガイド板（樹脂製）であり、ラックギヤの歯面にあてる。
７は、ピニオン
８は、バルブのステム
９は、ピニオン軸
１０は、ボールバルブ
【図１】
2007064470.tif 000003
【図２】
2007064470.tif 000004
【図３】
2007064470.tif 000005
【図４】
2007064470.tif 000006
【図５】
2007064470.tif 000007
【図６】
2007064470.tif 000008
(57)【要約】【課題】従来の養魚の方法では、美的な観賞面には充分とは言えなかった。又健康的な生育面に於いても改善策が求められていた。【解決手段】  養魚槽本体１等内に気泡噴射口２からの気泡５を噴射で魚が必要とする酸素を送ることは勿論必須であるが、本発明では特に、その気泡５噴射にＬＥＤの光三原色をＬＥＤ光照射窓３から照射することで虹色の美しい幻想的空間を演出すると同時に魚の体表面に付着していた寄生虫を１ヶ月程で消失させる。【選択図】図１
2007252358.tif 000002
【特許請求の範囲】
【請求項１】
（１）養魚槽本体１等に気泡噴射口２等から噴射せる気泡５等にＬＥＤ光照射窓３等からＬＥＤ光三原色を照射することを特徴とするＬＥＤ光を使った養魚等の方法
【発明の詳細な説明】
【技術分野】
【０００１】  本発明は、ＬＥＤ光を使った養魚等の方法に関する。
【背景技術】
【０００２】  従来の養魚の方法は、エアーポンプで養魚の水槽内に空気を送るだけのモノであった。（特許公表２００２−５３３１０４）
【発明の開示】
【発明が解決しようとする課題】
【０００３】  従来の養魚槽等での生育方法では、美的な観賞面には充分とは言えなかった。又、健康的な生育面に於いても改善策が求められていた。
【課題を解決する為の手段】
【０００４】  本発明では、養魚の槽等内に気泡噴射で酸素を送ることは勿論必須であるが本発明では特に白熱電灯の三原色を照射する方法を１０年程前から実施（商標登録第４３２１９８７号レインボー  で売り出して来た）してきて美的な観賞面にはそれなりの評価を得てきた。が白熱電灯では発熱する為に養魚槽等にコケが生えて光の透過が遮られたり問題がまだあった。
前述問題を解決の為にＬＥＤ光（発光ダイオード。以下ＬＥＤ光と言う）三原色が出たのを機会に、白熱電灯三原色からＬＥＤ光三原色に切り替えた。図１の如く、養魚槽本体１等の適当箇所に、気泡噴射口２を設け気泡噴射し、ＬＥＤ光照射窓３を設けＬＥＤ光三原色を照射した。
【発明を実施する為の最良の手段】
【０００５】  すると、ＬＥＤ光では発熱しない為、養魚槽本体１等内にコケが生えないし、何故か魚の健康的生育面において効果が顕著で、白熱電灯三原色照射の時は、海で捕った時には寄生虫が魚の体表面にいっぱい付着していたものを養魚槽に入れて育成しても寄生虫が消失しなかったのが、ＬＥＤ光三原色を照射した場合は魚を養魚槽本体１等に入れてから１ヶ月程で寄生虫が魚の体表面から消失し餌をよく食べる様になり泳ぐ勢いも見違える程活発になる。何故にその様な効果が出るのか理由が未だ判然としないが、事実であるからこの効果を広く世に知らしめたいと思う次第である。
【発明の効果】
【０００６】  前述した様に、海で捕った時には魚の体表面にいっぱい付着していた寄生虫が１ヶ月程で綺麗に消失して魚が元気になり餌もよく食べる様になり活発に遊泳する様になる。
又、ＬＥＤ光の三原色の照射が噴射する気泡に反映して虹色の美しい幻想的空間を演出する。為に養魚槽内の魚も喜んで遊泳している様子を感じる。
【発明を実施する為の最良の形態】
【０００７】  図１の如く、養魚槽本体１等の適当箇所に、気泡噴射口２を設け気泡噴射し、ＬＥＤ光照射窓３を設けＬＥＤ光三原色を照射する。為に気泡５によるマッサージ効果も大きい。
養魚槽に入れた魚は鯛、グレ、ホウボウ等々で、１ヶ月程で何れも泳ぐ勢いが良くなるし餌をよく食べる様になるし海で捕った時は魚の体表面にいっぱい付着していた寄生虫は１ヶ月程で消失する。魚達が気泡噴射にＬＥＤ光三原色が虹色に反映して美しい幻想的空間を躍動して遊泳するのを見ると、喜びと楽しさを満喫している感じである。
【実施例】
【０００８】  魚で是程に寄生虫の消失の効果があるなら、人体にも入浴の浴槽に気泡噴射とＬＥＤ光三原色を照射をすると細胞の活性化に役立つことは論を待たない。図２は実施例で１１は浴槽本体、１２は気泡噴射口、１３はＬＥＤ光照射窓、１５は気泡である。気泡噴射口１２から噴射した気泡１５にＬＥＤ光照射窓１３からのＬＥＤ光三原色が反映して虹色に映えて美しく入浴気分も、爽快である。気泡１５のマッサージ効果のみならずＬＥＤ照射窓からのＬＥＤ光三原色の光が細胞を刺激する為か当方で体験してみるに、１０分程の入浴で湯冷めしにくく関節痛などにも効果的であった。実感である。
【図面の簡単な説明】
【０００９】
【図１】本発明の斜視図
【図２】本発明の浴槽に利用した実施例の斜視図
【符号の説明】
【０００１０】１は、養魚槽本体
２は、気泡噴射口
３は、ＬＥＤ光照射窓
４は、台
５は、気泡
６は、魚
１１は、浴槽本体
１２は、気泡噴射口
１３は、ＬＥＤ光照射窓
１５は、気泡
【図１】
2007252358.tif 000003
【図２】
2007252358.tif 000004
(57)【要約】【課題】  本発明は、木材細片チップの集合体を接合成型してなる植栽基盤の製造方法の提供を目的とするものであり、特にその用途開発が強く求められている森林間伐材の木材細片チップを活用し、これを成型し、軽量化のみならずその断面を多様化して斜面や壁面にも立体的な緑化を可能とする植栽基盤を提供するものである。【解決手段】  粉砕片、削屑、鋸屑など形態の異なる木材細片と、これらを相互に結合し一体化する接合用接着剤を混練して、多様な形状の多孔性容器に注入し硬化せしめる。【選択図】図１
2007252353.tif 000002
【特許請求の範囲】
【請求項１】
木材の粉砕片、削屑、鋸屑など細片チップの集合体に、これらを相互に結合させるための接着剤を適宜配合した混合体を、通気性良好なる多孔容器に注入し硬化成型せしめるにあたり、該多孔容器は円柱、角錐、角錐台など任意の多様な形状をなし、その形状に従って硬化成型物が多様な形状をなすことを特徴とする植栽基盤の製造方法。
【発明の詳細な説明】
【技術分野】
【０００１】  本発明は、木材細片チップの集合体を接合成形してなる植栽基盤の製造方法に関するものであり、さらに詳しくは円柱、角錐、角錐台など多様な形状の植生基盤を製造する方法に関するものである。
【背景技術】
【０００２】  屋上や壁面等建造物上の広い範囲に植生を行う場合、植物を定着させるため植栽基盤が使われている。本来植栽基盤は土壌を必要厚さに敷きならしたものであるが、土壌の植栽基盤はその自重が大きく建造物に過度の負担をかけるものであって、特に広い範囲に植栽をするような場合などにはそのままでは耐荷重の限界を超え、軽量化が必要であった。【０００３】  これに対し、軽量化のため椰子殻繊維をマット状に交絡加工成形されたものがつくられ使用されている。しかしこれらの基盤は簡単な四角柱のような形状でないと成型することは困難であり、さらにその原料自体供給を海外に委ねる必要があった。むしろ軽量植栽基盤の分野に、多量に発生しその用途開発が強く望まれている国内森林の間伐材を活用することが期待され、その製造技術の出現が嘱望されている。
【発明の開示】
【発明が解決しようとする課題】
【０００４】  本発明はその用途開発が強く求められている森林間伐材の木材細片チップを活用し、これを成形し、軽量化のみならずその断面を多様化して斜面や壁面にも立体的な緑化を可能とする植栽基盤を提供するものである。
【課題を解決するための手段】
【０００５】  本発明は、木材の粉砕片、削屑、鋸屑など形態の異なる木材細片と、望ましくは木炭やセラミックスなど多孔質で土中バクテリアなどの生息に適した空間を提供する粒状体などを加えた混合体に、これらを相互に結合し一体化する接合用接着剤を混練して植栽基盤となす製造方法を提供する。【０００６】  一般に木材の細片はセルローズ繊維よりなり保水性に富んでいる。より高い保水性や耐久性を有する木材細片を得るには、細片化に際し木材を構成する繊維束や導管をできるだけ損なわず多数保有していることが望ましいのである。【０００７】  木炭やセラミックスなどの多孔体は粉粒体として散布し農地の土壌改良に用いられることが多いが、本発明のごとく細片を集積した基盤の中に混練すれば、容易に分散配置され植栽促進の基盤としてよりすぐれたものにすることができる。【０００８】  各々の木材細片や粉粒体を接合する接着剤は、ホットメルト型接着剤や溶媒分散型接着剤など利用できるが、木質の損傷や事前に種子を配置する場合も考慮すると、接合時に発熱する材料でなく常温処理の可能な接着剤であることが望ましい。また接合の状態も空隙を多く含んだ点接合になることが効果的であるが、このためには接着剤を微粒状で配合することが必要である。【０００９】  本発明により製造される植栽基盤は、製造工程において硬化成型に使用する多孔容器を任意の形状にすることができ、多様な形状の植栽基盤を作ることができるので、平面上に植栽するだけでなく、側面など多くの平面に同時に植栽したり、球面や多面体などの面に沿って植栽する植栽基盤を作ることもできる。
【発明の効果】
【００１０】  本発明により製造される植栽基盤は、多くの空隙を含んでいるので、それ自体を特に軽量にすることができる。一般に土層はその見掛け比重はおよそ１．５〜２．５程度である。また木材の見掛け比重は０．５〜０．８程度である。これに対し本発明により製造される植栽基盤の見掛け比重は０．３であり大幅な軽量化となっている。軽量化は、木材細片の集合体が点接合で一体化されているので、構成材料間に多数の空隙があり、見掛け比重が低くなったものである。このような多数の空隙は、結果として得られる植栽基盤にとって含気，含水をもたらす重要な要素である。【００１１】  本発明による植栽基盤は、その製造方法から多様な形状を可能とするものである。従来、植栽基盤は芝生などのように平面に広く植栽する場合に多く用いられてきた。本発明により、断面半円のもの、Ｖ字型のもの，あるいは底面に比し側面が広いものなど多くの新しい形状とすることが可能となり、植栽基盤の用途が拡がることとなる。【００１２】  更に本発明では、常温で凝結する接着剤によるので、製造過程で温度高揚し植物種子が破損死滅することがない。従って植栽基盤製造の段階で基盤内に種子を装着することが可能となり、植栽工程を合理化することができる。さらに、製造が常温で進められることにより、工程中で昇温の必要がなく燃料費などを軽減することができ、同時に各工程の設備もより安価で量産可能なものにすることができる。
【実施例】
【００１３】  雑木間伐材の鋸屑鉋屑に、粉状木炭を重量比率５％混合した集合体を、巾３３ｃｍ長さ１００ｃｍ厚さ５ｃｍの篭に敷き、その上からエマルジョン系接着剤を噴霧し、更に集合体敷設と接着剤噴霧を数回繰り返して積層し、室温平均２５℃の室中で乾燥硬化させ植栽基盤を製造した。当該植栽基盤は噴霧と積層によって内部に多くの非接合空隙があり、軽量な植栽基盤であった。
【図面の簡単な説明】
【００１４】
【図１】  本発明の概要を示す斜視図である。
【図２】  本発明実施の一例を示す
【図３】  本発明実施の別の一例を示す。
【符号の説明】
【００１５】  １．  植栽基盤
２．  植物
【図１】
2007252353.tif 000003
【図２】
2007252353.tif 000004
【図３】
2007252353.tif 000005
(57)【要約】【課題】  もぐらの農作物等に与える被害には、今日までその対策なしの状態である。そこで本発明は、双方向から進入できて、もぐらの運動力を利用して捕獲できる自然にやさしい仕掛けで、しかも危険事故なしの落下式もぐら捕獲器を提供する。【解決手段】  通り穴がつぶれると、もぐらは再び自分の通った穴のあとかどうか確かめながら前進する。その場合、つり板３のところに空間が設けてあるので、そこ板４にのらないと穴をつくって前方に進めないので、前に押し出す土砂で、つり板３が中心方向に動き、そこ板４がはづれて土砂とともに落下し、生きた状態で捕獲するように構成したことを特徴とする。【選択図】図１
2007252354.tif 000002
【特許請求の範囲】
【請求項１】
ケース７の中の左右のそこ板４を糸９で釣りあげ、つり板３をハの字形になるようにつり捧１につるし、そこ板４を水平に下ろし、その上に掘った穴のまわりの土砂を盛り、ひらきとり棒６でつり板３を支持したことを特徴とする落下式もぐら捕獲器。
【発明の詳細な説明】
【技術分野】
【０００１】    この発明は、もぐら自身の運動力を利用して生きたまま捕獲できる双方向進入型の落下式もぐら捕獲器に関するものである。
【背景技術】
【０００２】    従来、振動で逃がす風力式プロペラ型や電池式の捕獲器はあったが、もぐらがすぐに馴れてきて効果は少なく、確率の高い捕獲器は見あたらない。
【発明の開示】
【発明が解決しようとする課題】
【０００３】    もぐらを捕獲しなければ農作物などの被害は全く手ばなしの状態である。長年にわたり捕獲を試みたが、成果は上がらないので、本発明はこれらの問題点を解決するために発明されたものである。
【課題を解決するための手段】
【０００４】    ケース７の左右側面に蝶番でとりつけたそこ板４を、その先端にむすび付けた糸９で釣り上げる。次にひらきとり棒６を穴にさし込み、つり板３がハの字になるようにつり棒１をつりクリップ２に通してケース７の半円形に切り込んだ凹みに据える。そして、つり上げた糸９をゆるめ、つり板３のＬ形の部分の上に重なるようにそこ板４をおろし、掘った穴のまわりの土砂をそこ板４の上に盛り、ひらきとり棒６でつり板３を支持する。以上の構成よりなる落下式もぐら捕獲器である。
【発明の効果】
【０００５】  もぐらの被害には多くの人が頭を痛めており、その捕獲方法はこれまでは皆無に等しく、又、もぐらは振動にもすぐ馴れて自分のつくった以外の空洞には入ろうとしない賢い小動物である。そこで本発明は狩り場への通路に、穴のまわりの臭いのついた土砂をケース７内に盛って、もぐらが安心して通り穴をつくって前進する仕掛けの捕獲効果の高い落下式捕獲器である。
【発明の実施するための最良の形態】
【０００６】    以下、本発明の実施するための最良の形態を説明する。
【０００７】    正方形の箱形ケース７の上部に土砂を入れて、その中にもぐらが穴をつくりながら前進すると土砂を前方へ押し、この押すことによってハの字形につるしているつり板３が中心方向に動き、そこ板４がはづれて、土砂とともにケース７内に落下するつるす部品を組込んだ落下式もぐら捕獲器である。
【０００８】  ケース７は縦横３０センチ、奥行８センチの箱形とし、もぐらの大きさから勘案して、高さ７センチ５ミリ、巾８センチの進入口を上部左右にあけ、側板８に蝶番でそこ板４の片方を固定し、もう一方の先にあけた穴に糸９を結び付け、上下１８０度自由に動くように左右両方にとりつける。
【０００９】  つるす部分は、ケース７の上部中心に半円形の切込みを入れた箇所に直径１センチ２ミリ、長さ１０センチのつり棒１を、つりクリップ２のついたＬ形つり板３を、凸起部を中心より左右外向きになるようにつるす。
【００１０】    ケース７の中心線にあけた穴にひらきとり棒６をさし込み、上からつるすつり板３をハの字にひろげ、糸９をゆるめてそこ板４の端がつり板３の凸起部の上に乗るように装着する。
【００１１】    以下、本発明の使用方法を説明する。巣からえさ狩り場へ往復するもぐらの通り路で、足で踏み押さえて２日から３日ぐらいで再び通る箇所を選び、必ず手袋をはき、割ばしなどで穴の深さを測り、３０センチ巾をとり、表土をはぎ、穴のまわりのもぐらの臭いのついた盛用土を採取する。
【００１２】    縦横を計りながら左右の切り取り面の穴と進入口は、できるだけ密着できるように掘り下げ、捕獲器を納める。
【００１３】    そこ板４を糸９でつり上げ、ひらきとり捧６をさし込んでつり板３をハの字につり棒１でつるす。次に糸９をゆるめでそこ板４を装着し、採取した土砂を図３に示したように盛り、かるく押さえる。
【００１４】    横のすき間の下半分に土砂を埋めて全体がぐらつかぬようにしめ固めてからひらきとり棒６をぬきとり、ビニール袋などで光や雨水よけをする。
【実施例】
【図面の簡単な説明】
【００１５】
【図１】本発明の斜視図である。
【図２】本発明のつり部分の分解斜視図である。
【図３】本発明の盛土状態を示す縦断面図である。
【図４】本発明の平面図である。
【符号の説明】
【００１６】１  つり棒
２  つりクリップ
３  つり板
４  そこ板
５  蝶番
６  ひらきとり棒
７  ケース
８  側板
９  糸
１０  盛土
【図１】
2007252354.tif 000003
【図２】
2007252354.tif 000004
【図３】
2007252354.tif 000005
【図４】
2007252354.tif 000006
(57)【要約】【課題】運用中でも編集可能な２領域メモリによる運用編集方法を提供する。【解決手段】列車無線システムの移動局において、制御部のメモリに、運用のメモリ領域とは別に、編集用のメモリ領域を設け、運用と編集を同時に行うことを特徴とする。【選択図】図１
2007252156.tif 000002
【特許請求の範囲】
【請求項１】
列車無線システムの移動局において、制御部のメモリに、運用のメモリ領域とは別に、編集用のメモリ領域を設け、運用と編集を同時に行うことを特徴とする２領域メモリによる運用編集方法。
【発明の詳細な説明】
【技術分野】
【０００１】
本発明は、列車無線システムの移動局に適用される制御部のメモリに関するものである。
【背景技術】
【０００２】
従来の列車無線システムの移動局の構成を図１に示す。図１において、移動局１０は、制御部１１と無線機１２を備える。制御部１１はその中に、フラッシュＲＯＭからなるメモリ１３とタッチパネル１４を備える。
【０００３】
メモリ１３に格納された編成番号（車体を識別する番号）は、無線局２で有線信号から無線信号へ変換され、地上局へ送信される。タッチパネル１４によりメモリ１３に格納された編成番号を変更可能とし、制御部１１再起動後変更は反映される。
【０００４】
従来の技術としては、例えば特許文献１、特許文献２に、２重化メモリシステム及びそのメモリ切替方法が開示されているが、一方の領域を障害が発生した時の予備領域として使用している。
【０００５】
【特許文献１】特開平１１−３４０８９３号公報
【特許文献２】特開平１１−２３４２２１号公報
【発明の開示】
【発明が解決しようとする課題】
【０００６】
しかし、運用中（編成番号を地上局へ送信する間）、そのデータのあるメモリ１３は書換できない。また、タッチパネル１４は運用中にしか動作しない。メモリ１３には予備メモリ領域があるが、予備メモリ領域が現用となるのは障害となった時のみであった。
【０００７】
本発明の目的は、運用中でも編集可能な２領域メモリによる運用編集方法を提供することにある。
【課題を解決するための手段】
【０００８】
本発明は、列車無線システムの移動局において、制御部のメモリに、運用のメモリ領域とは別に、編集用のメモリ領域を設け、運用と編集を同時に行うことを特徴とする。
【発明の効果】
【０００９】
本発明によれば、運用中でも編集可能な２領域メモリによる運用編集方法を得ることができる。
【発明を実施するための最良の形態】
【００１０】
本発明による２領域メモリによる運用編集方法を有する列車無線システムの移動局の実施の形態の構成を図１に示す。
【００１１】
図１において、移動局１０は、制御部１１と無線機１２を備える。制御部１１はその中に、運用のメモリ領域Ａと編集用のメモリ領域Ｂを設けたメモリ１３とタッチパネル１４を備える。
【００１２】
運用のメモリ領域Ａと編集用のメモリ領域Ｂを設けたことで、運用（読出）と編集（書込）を同時に行うことができる。
【００１３】
以下に、編成番号書換の手順を示す。また、フローチャートを図２に示す。
【００１４】
（１）メモリ領域Ａを運用、メモリ領域Ｂを編集用とする（２０１）。この場合、メモリ領域Ａのデータを地上局へ送信する。
（２）表示画面例の図３を用いて、タッチパネル１４で変更後の編成番号を入力する（２０２）。
（３）図３の「設定」ボタンを押すと、入力した編成番号がメモリ領域Ｂへ書込まれる（２０３）。
【００１５】
（４）手動によりシステムを再起動する（２０４）。
（５）再起動後、書込時刻が最近のメモリ領域を運用側とする（２０５）
（６）よって、メモリ領域Ａが編集用、メモリＢが運用となる（２０６）。
【００１６】
本実施の形態では、下記の効果を奏する。
（１）運用中も編集番号を編集し、書込むことが可能である。
（２）編成番号をタッチパネルで編集することが可能である。
【００１７】
本発明は、以下の方式を含む。
システム再起動後、前回設定値へ運用のメモリ内容を戻したい場合、編集用メモリ領域には前回の設定内容が残っているので、編集用メモリ領域の日付を更新して再起動することにより、前回の設定内容を運用に戻すことができる。
再起動時に、運用のメモリ領域から編集用のメモリ領域へメモリ内容をコピーすることで、バックアップメモリとしての利用ができる。
【図面の簡単な説明】
【００１８】
【図１】本発明による２領域メモリによる運用編集方法を有する列車無線システムの移動局の実施の形態の構成図である。
【図２】編成番号書換のフローチャートである。
【図３】表示画面例である。
【図４】従来の列車無線システムの移動局の構成図である。
【符号の説明】
【００１９】
１０：移動局、１１：制御部、１２：無線機、１３：メモリ、１４：タッチパネル。
【図１】
2007252156.tif 000003
【図２】
2007252156.tif 000004
【図３】
2007252156.tif 000005
【図４】
2007252156.tif 000006
(57)【要約】【課題】  モーターを減速運転するときインバータ駆動装置の直流電圧上昇を防ぐ目的で入力電源に回生電流を戻す機能の解除信号を送ってもラインフィルタのインダクタンスの作用で電流を流し続けようとすることで回生機能用の開閉素子を破壊させる問題がある。【解決手段】  モーターを減速運転させるときインバータ駆動装置の直流電源の電圧上昇を防ぐ目的で入力電源に回生電流を戻す機能を解除するタイミングで回生機能用開閉素子の破壊を防止するような回路切替スイッチを持つ構造とした回生電流対応ラインフィルタ。【選択図】図１
2007252173.tif 000002
【特許請求の範囲】
【請求項１】
モーターを減速運転させるときインバータ駆動装置の直流電源の電圧上昇を防ぐ目的で入力電源に回生電流を戻す機能を解除するタイミングで回生機能用開閉素子の破壊を防止するような回路切替スイッチを持つ構造とした回生電流対応ラインフィルタ。
【発明の詳細な説明】
【技術分野】
【０００１】  本発明は回生用開閉素子ＡＳＧの動作完了に同期して接続回路を切替できる構造として開閉素子が破壊しないような構造とした回生電流対応ラインフィルタに関するものである。
【背景技術】
【０００２】  従来型のラインフィルタＺＡではモーターＭを減速運転させるときインバータ駆動装置ＡＩの異常な直流電圧の上昇を防ぐ目的で入力電源に回生電流を戻す機能を解除するときラインフィルタＺＡのインダクタンスの作用で回生機能用開閉素子ＡＳＧが破壊する問題があった。
【発明が解決しようとする課題】
【０００３】  従来技術には、次のような欠点があった。
モーターＭを減速運転するときインバータ駆動装置ＡＩの異常な直流電圧の上昇を防ぐ目的で入力電源に対して回生電流を戻す機能を解除するタイミングでラインフィルタＺＡのインダクタンスの作用によって回生機能用の開閉素子ＡＳＧの出力を開とする制御信号に反して継続して電流を流す必要に迫られることで素子が破壊する問題があった。
【課題を解決するための手段】
【０００４】  モーターを減速運転させるときインバータ駆動装置の直流電源の電圧上昇を防ぐ目的で入力電源に回生電流を戻す機能を解除するタイミングで回生機能用開閉素子の破壊を防止するような回路切替スイッチを持つ構造とした回生電流対応ラインフィルタである。
【発明の効果】
【０００５】  本発明は充電スイッチＳ２が開の状態で回生電流を入力電源へ戻す動作を実行する回生機能用開閉素子ＡＳＧの動作完了に同期して回路切替スイッチＳ１で接続する回路を切替する構造とすることでラインフィルタＺＡのインダクタンス成分によって電流が流れ続けようとすることが原因で回生機能用開閉素子ＡＳＧが破壊しないようにすることができる。
【発明の実施をするための最良の形態】
【０００６】  以下、本発明の実施をするための最良の形態について説明する。
（イ）従来型ラインフィルタＺＡとインバータ装置ＡＩの間に回路切替スイッチＳ１を        設ける。
（ロ）充電スイッチＳ２を設ける。
（ハ）充電回路についてはダイオードモジュールＶＣでインバータ装置ＡＩの直流電圧        部分のコンデンサＣに充電する回路構成とする。
本発明は、以上の構成よりなっている。
本発明を使用するときは、回生機能用の開閉素子ＡＳＧの動作が完了したタイミングにおいてラインフィルタＺＡのインダクタンス成分によってコイルに電流が流れ続けようとすることが原因で開閉素子ＡＳＧが破壊しないように充電スイッチＳ２を開とした状態において回路切替スイッチＳ１を連動動作させることで回生回路を分離することで回生機能用開閉素子ＡＳＧの破壊を回避することができる。ラインフィルタＺＡはインバータ装置ＡＩに対して適用する規格等によって使用することも使用しないこともあるが、本発明のラインフィルタＺＢを活用することでどんな場合であっても装置への適用規格に全く関係なしに同じ回路構成であるインバータ装置ＡＩを使用できるようになる。その結果としてまったく同じ仕様のインバータ装置ＡＩを採用できるので量産効果によるコストダウンも期待できると同時に回生機能用の開閉素子ＡＳＧの破壊を防止できるメリットがある。
【図面の簡単な説明】
【０００７】
【図１】  本発明の電気回路図（電気的構造図）である。
【符号の説明】
【０００８】  ＺＡ      従来型ラインフィルタ
ＺＢ      今回提案するラインフィルタ
Ｓ１      回路切替スイッチ
Ｓ２      充電スイッチ
ＡＩ      インバータ装置
ＡＳＧ    回生機能用スイッチ部
ＡＳＩ    インバータ出力部
ＶＣ      ダイオードモジュール
Ｃ        コンデンサ
Ｍ        モーター
【図１】
2007252173.tif 000003
(57)【要約】【課題】    先願単相、三相交流複合発電機で述べた相殺効果について、詳細な機構原理の解明を課題とする。【解決手段】    互いに相反する逆同相の界磁極と鉄心電機子磁極間に異極を形成して回転に伴って増減変化する吸引磁束密度の負の正弦波と反発電磁誘導の界磁極と空心電機子磁極間に同極を形成して回転に伴って増減変化する反発磁束密度の正の正弦波を二連界磁回転子軸で合成して相殺効果を達成する。【選択図】図１
2007252172.tif 000002
【特許請求の範囲】
【請求項１】
二連界磁極を同方向に異極（Ｎ極とＳ極）を形成するように揃えて両界磁極と両電機子磁極間の回転に伴って増減変化する吸引磁束密度と反発磁束密度を誘起する二連界磁極回転子。
【請求項２】
二連界磁極を同方向に同極（Ｎ極とＮ極、Ｓ極とＳ極）を形するように揃えて両界磁極と両電機子磁極間の回転に伴って増減変化する吸引磁束密度と反発磁束密度を誘起する二連界磁回転子。
【請求項３】
吸引電磁誘導の電磁石界磁極と鉄心電気子磁極間に異極を形成して回転に伴って増減変化する吸引磁束密度と反発電磁誘導の超電導磁石界磁極と空心電気子間に同極を形成して回転に伴って増減変化する反発磁束密度を二連界磁極回転子軸で合成相殺することで出力電力（負荷）が最大時に同等で逆同相振幅幅が最大のとき発電効率が最大になる複合発電機構。
【発明の詳細な説明】
【技術分野】
【０００１】  本発明は、複合発電機の相殺機構に関するものである。
【背景技術】
【０００２】  複合発電機の二連界磁回転子による反発力と吸引力の合成と相殺効果に関連する。
【発明の開示】
【発明が解決しようとする課題】
【０００３】  先願単相交流複合発電機で説明した相殺効果の詳細な説明と機構原理の解明を課題とする。
【課題を解決するための手段】
【０００４】  先願の相殺効果について不備な点を図を補記して図面を基に詳細に述べる。
【発明を実施するための最良の形態】
【０００５】  発明を実施するための機構原理の解明を図１と図３を基に述べると。図１は両界磁極の回転角を揃えた二連界磁回転子軸（３）を共有する複合発電機を構成する。【０００６】  左側は既存の発電機の鉄心電機子磁極（４）と電磁石界磁極（１）間に異極を形成する吸引磁束密度（Ｂ１）が出力電力（負荷）の増減に比例するため、出力電力（負荷）が最大の時、吸引磁束密度（Ｂ１）が最大となる吸引電磁誘導の発電機部分を構成する。【０００７】  右側は、反発電磁誘導の発電機の超電誘磁石界磁極（２）と空心電機子磁極（５）間に同極を形成する反発磁束密度（Ｂ２）が出力電力（負荷）の増減に比例するため、出力電力（負荷）が最大の時、反発磁束密度（Ｂ２）が最大となる反発電磁誘導の発電機部分を構成する。【０００８】  反発磁束密度（Ｂ２）の反発力の大きさと吸引磁束密度（Ｂ１）の吸引力の大きさを同等にするために電磁石界磁電力（電圧）をコンピューターでコントロールすることにより、横線表示（Ｂ２−２）の反発磁束密度の正の正弦波振幅幅（反発力の大きさ）と縦線表示（Ｂ１−１）の吸引磁束密度の負の正弦波振幅幅（吸引力の大きさ）が同等の互いに相反する理想的な逆同相の正負の正弦波グラフの説明図３を示す。【０００９】  同等に誘導した反発磁束密度（Ｂ２）の反発力の大きさと吸引磁束密度（Ｂ１）の吸引力の大きさを二連界磁極回転軸（３）で合成する相殺効果により回転抵抗減少分相当の飛躍した発電効率を達成する複合発電機を構成する。
【発明の効果】
【００１０】  互いに相反する逆同相の反発電磁誘導の反発磁束密度（Ｂ２）と吸引電磁誘導の吸引磁束密度（Ｂ１）双方の反発力の大きさを表す（正のＢ２−２）と吸引力の大きさを表す（負のＢ１−１）の両正弦波グラフ（包絡線）の振幅幅が大きいほど、二連界磁極回転子軸（３）で相反する力を合成相殺する相殺効果が大きくなるため、最大出力電力（負荷）時の同等で逆同相の振幅幅が最大の時に発電効率が最も大きくなる効果がある。
【図面の簡単な説明】
【００１１】
【図１】複合電機子の並列接続時の同方向に異極（ＮとＳ）を形成する両界磁極と両電機子磁極の関係を示し、両磁極の回転角を揃えた二連界磁回転軸（３）で構成する複合発電機の概略説明図
【図２】両界磁極が同極同方向の時の複合電機子直列接続と特別な接続の利用形態を示し、図１と相殺効果が同じため説明は省略する。
【図３】互いに相反する理想的な逆同相の反発磁束密度の正の正弦波グラフ（Ｂ２−２）と吸引磁束密度の負の正弦波グラフ（Ｂ１−１）の説明図を示す。
【符号の説明】
【００１２】１：      電磁石界磁（界磁電力を調整する電磁石界磁）
２：      超電導磁石界磁
３：      両界磁極の回転角を揃えた二連界磁回転子軸
４：      鉄心電機子（又は吸引誘導電機子）
５：      空心電機子（又は反発誘導電機子）
Ｂ１：    電磁石界磁極と鉄心電機子軸極間に異極を形成して回転に伴って増減変化する吸引磁束密度
Ｂ２：    超電導磁石界磁極と空心電機子磁極間に同極を形成して回転に伴って増減変化する反発磁束密度
Ｂ１−１：縦線部分は吸引磁束密度の負の正弦波グラフ
（振幅幅は吸引力の大きさを表す）
Ｂ２−２：横線部分は反発磁束密度の正の正弦波グラフ
（振幅幅は反発力の大きさを表す）
【図１】
2007252172.tif 000003
【図２】
2007252172.tif 000004
【図３】
2007252172.tif 000005
(57)【要約】【課題】組み立てが簡単で、ソフトなイメージの陳列が可能な商品陳列具を提供する。【解決手段】対向する外面板１，２及び中間板３を連設すると共に、弧状縁を有する端板７を連設し、外面板１に入穴８を、中間板３に奥穴９をそれぞれ設け、外面板１，２の間に中間板３を挟むようにこれらを折り曲げ、外面板１，２の側部を接合し、端板７の折り曲げにより外面板１を膨らますように湾曲させ、入穴８から奥穴９へ挿入した商品Ｇを、入穴８と奥穴９とで斜めに支持する。一箇所で貼り付けるだけで容易に製造でき、扁平な折畳状態から迅速に組み立てることができる。また、外面板１の湾曲により、ソフトなイメージを与えることができる。【選択図】図３
2007252698.tif 000002
【特許請求の範囲】
【請求項１】
対向する外面板及び中間板を連設すると共に、弧状縁を有する端板を連設し、外面板に入穴を、中間板に奥穴をそれぞれ設け、外面板の間に中間板を挟むようにこれらを折り曲げ、外面板の側部を接合し、端板の折り曲げにより外面板を膨らますように湾曲させ、入穴から奥穴へ挿入した商品を、入穴と奥穴とで斜めに支持するようにした商品陳列具。
【発明の詳細な説明】
【技術分野】
【０００１】
この発明は、店頭での商品の陳列に使用する厚紙製の商品陳列具に関するものである。
【背景技術】
【０００２】
従来、下記特許文献１には、四角筒をなす筒体の対向する面に入穴と奥穴とを設け、奥穴を入穴よりも斜め下方に位置させ、入穴から奥穴へ挿入した商品を、入穴と奥穴とで斜めに支持する商品陳列具が記載されている。
【０００３】
【特許文献１】特開２００１−１４９１９１号公報
【発明の開示】
【発明が解決しようとする課題】
【０００４】
しかしながら、上記のような商品陳列具では、扁平な状態から組み立てるのに手間がかかるほか、陳列時に消費者に対し単調な堅い印象を与えるという問題もある。
【０００５】
そこで、この発明は、組み立てが簡単で、ソフトなイメージの陳列が可能な商品陳列具を提供することを課題とする。
【課題を解決するための手段】
【０００６】
上記課題を解決するため、この発明に係る商品陳列具は、対向する外面板及び中間板を連設すると共に、弧状縁を有する端板を連設し、外面板に入穴を、中間板に奥穴をそれぞれ設け、外面板の間に中間板を挟むようにこれらを折り曲げ、外面板の側部を接合し、端板の折り曲げにより外面板を膨らますように湾曲させ、入穴から奥穴へ挿入した商品を、入穴と奥穴とで斜めに支持するようにしたのである。
【発明の効果】
【０００７】
この商品陳列具では、対向する外面板及び中間板を折り曲げて、外面板を接合するだけで製造でき、扁平に折り畳んだ納品状態から、外面板を膨らませ、端板を折り曲げるだけで、迅速に組み立てることができる。
【０００８】
また、外面板の膨出した湾曲により、商品を手前の間隔が広がるように外面板に配置して、ソフトなイメージを与えるように陳列することができる。
【発明を実施するための最良の形態】
【０００９】
以下、この発明の実施形態を添付図面に基づいて説明する。
【００１０】
図１に示すように、この商品陳列具の厚紙製ブランクでは、外面板１，２及び中間板３が順次横方向に並べて連設され、中間板３の外側に折込片４が、外面板１の外側に継代片５がそれぞれ連設されている。中間板３及び外面板２の上下端には、基端の罫線が弧状に湾曲すると共に、先端が弧状縁となった端板６，７がそれぞれ連設されている。
【００１１】
外面板１には複数の入穴８が縦横に並べて配設され、中間板３には入穴８よりやや下方にずらして複数の奥穴９が縦横に並べて配設されている。中間板３の両側で縦方向に並ぶ奥穴９の下縁には、受止片１０が連設されている。
【００１２】
また、吊紐を挿通するため、端板６の先端には一対の切欠１１が設けられ、端板７の基部及び外面板２の上部には、一対の貫穴１２が設けられている。
【００１３】
このブランクから商品陳列具を製造するには、図２に示すように、外面板１，２の間に中間板３が挟まれるようにこれらを折り曲げ、折込片４を折り込んで、中間板３と折込片４の稜部を外面板１，２の稜部に当接させた状態で、継代片５を後方へ回り込むように折り曲げて、外面板２に貼り付ける。
【００１４】
一方、この商品陳列具を店頭で使用する際には、図３及び図４に示すように、端板６，７を順次折り曲げて、端板６の弧状縁を外面板２に、端板７の弧状縁を外面板１にそれぞれ当接させ、外面板１，２を膨らますように湾曲させる。
【００１５】
そして、商品陳列具を切欠１１及び貫穴１２に挿通した紐Ｓにより吊り下げて、入穴８から奥穴９へ挿入したチューブ入り化粧品等の商品Ｇを、入穴８と奥穴９とで斜めに支持し、受止片１０のある奥穴９では、押し込んだ受止片１０で商品Ｇを受け止める。
【００１６】
このように、上記商品陳列具は、対向する外面板１，２及び中間板３を折り曲げて、一箇所で貼り付けるだけで容易に製造でき、扁平な折畳状態で納品できるので、商品と共に小売店への配送を効率よく行うことができる。
【００１７】
また、外面板１，２を膨らませ、端板６，７を折り曲げるだけで、迅速に組み立てることができるので、店頭での陳列作業を能率よく行うことができ、陳列状態では、入穴８から奥穴９へ挿入した商品Ｇが外面板２に当接するので、後方へ抜け落ちることがなく、商品Ｇを確実に保持できる。
【００１８】
さらに、外面板１，２が膨出するように湾曲しており、この湾曲により、商品Ｇを手前の間隔が広がるように外面板１に配置して、ソフトなイメージを与えるように陳列することができるので、販売促進効果を期待できる。
【００１９】
なお、上記実施形態では、外面板１にのみ入穴８を設けたが、両面を見せる陳列形態とする場合には、外面板２にも入穴８を設けるようにしてもよい。この場合、外面板１の入穴８と、外面板２の入穴８とは、異なった奥穴９に対応するように、位置をずらして設ける必要がある。
【００２０】
また、外面板１，２及び中間板３を１枚ずつ順次並べて連設したが、例えば、外面板２の両側に、それぞれ中間板３及び外面板１を順次並べて連設し、これらを屏風状に折り曲げて、各外面板１と外面板２の側部を接合するようにしてもよい。
【図面の簡単な説明】
【００２１】
【図１】この発明の実施形態に係る商品陳列具のブランクを示す図
【図２】同上の製造過程を示す斜視図
【図３】同上の陳列状態を示す斜視図
【図４】同上の上面図
【符号の説明】
【００２２】
１，２  外面板
３  中間板
４  折込片
５  継代片
６，７  端板
８  入穴
９  奥穴
１０  受止片
１１  切欠
１２  貫穴
【図１】
2007252698.tif 000003
【図２】
2007252698.tif 000004
【図３】
2007252698.tif 000005
【図４】
2007252698.tif 000006
(57)【要約】【課題】所望の大きさに切断して使用することができ、かつ、種々の用途に種々の態様で使用することができる吸盤シートを提供する。【解決手段】柔軟なシート１の片面又は両面に多数個の吸盤３を該シート１と一体的に形成し、各吸盤３は平面において一辺の長さが３ｍｍの正方形５の中に入る大きさの突起７を形成すると共に該突起７に凹陥部９を形成してなることを特徴とする吸盤シート。各突起７の平面形状は、円形、楕円形、四角形、多角形その他如何なるものであってもよい。【選択図】図１
2007252582.tif 000002
【特許請求の範囲】
【請求項１】
柔軟なシートの片面又は両面に多数個の吸盤を該シートと一体的に形成し、各吸盤は平面において一辺の長さが３ｍｍの正方形の中に入る大きさの突起を形成すると共に該突起に凹陥部を形成してなることを特徴とする吸盤シート。
【発明の詳細な説明】
【技術分野】
【０００１】
本発明は、多数個の吸盤を備えた吸盤シートに関するものである。
【背景技術】
【０００２】
軟質プラスチック、ゴム等の柔軟な材料により皿状に形成してなる吸盤は、例えば実用新案登録第３０２６５７５号公報に示す如く、従来より広く知られている。
【特許文献１】実用新案登録第３０２６５７５号公報
【発明の開示】
【発明が解決しようとする課題】
【０００３】
上記従来の吸盤は、ガラス面、金属面、プラスチック面、塗装面等の平滑面に好ましく吸着させることができるものではあるが、本発明は、所望の大きさに切断して使用することができ、かつ、種々の用途に種々の態様で使用することができる吸盤シートを提供しようとしてなされたものである。
【課題を解決するための手段】
【０００４】
上記課題を解決するために、本発明は、下記の吸盤シートを提供する。
【０００５】
柔軟なシートの片面又は両面に多数個の吸盤を該シートと一体的に形成し、各吸盤は平面において一辺の長さが３ｍｍの正方形の中に入る大きさの突起を形成すると共に該突起に凹陥部を形成してなることを特徴とする吸盤シート。
【発明の効果】
【０００６】
本発明は、下記の効果を発揮する。
【０００７】
（１）本発明の吸盤シートは、柔軟なシートに多数個の吸盤を該シートと一体的に形成してなるものであるため、必要に応じて所望の形状と大きさにハサミ等により切断して使用することができる。
【０００８】
（２）シートは柔軟なものであり、かつ、各吸盤は平面において一辺の長さが３ｍｍの正方形の中に入る大きさの突起を形成すると共に該突起に凹陥部を形成してなる小さなものであるため、吸盤シートは滑らかな面であれば平面のみならず曲面に吸着させることができる。
【０００９】
（３）シートは柔軟なものであり、かつ、各吸盤は小さなものであって各吸盤の吸着力は小さいため、吸盤シートをその一端からめくることにより、吸盤シートを容易に剥がすことができる。
【００１０】
（４）吸盤をシートの一面のみに形成したときには、他面には印刷を施し、又は文字、絵等を手で書くこともできる。
【００１１】
（５）吸盤をシートの一面のみに形成したときには、例えば吸盤シートをコンピュータ用のマウスパッドとして使用することができる。即ち、吸盤シートの一面の吸盤をデスク、テーブル等の天板上面に吸着させることにより吸盤シートを固定した状態で、吸盤シートの他面上でマウスを使用することができる。
【００１２】
（６）吸盤をシートの両面に形成したときには、吸盤シートの一面の吸盤を所望の面に吸着させ、他面の吸盤に所望の物を吸着させることができる。例えば、吸盤シートの一面の吸盤を垂直面に吸着させ、他面の吸盤に鉛筆その他の筆記用具を垂直、水平、斜めその他の所望の方向に吸着させることができる。また、吸盤シートの一面の吸盤をテーブルの天板上面、自動車内におけるダッシュボード上面等に吸着させ、吸盤シートの他面の吸盤上に食器、飲料缶等の底面を吸着させることもできる。
【００１３】
（７）本発明の吸盤シートは、柔軟なシートに多数個の吸盤を該シートと一体的に形成してなるものであるため、量産に適しており、安価に提供することができる。
【発明を実施するための最良の形態】
【００１４】
符号１に示すものは、軟質プラスチック、ゴム等の柔軟な材料により形成されたシートである。
【００１５】
シート１の厚さは、用途に応じて異なるが、好ましくは３ｍｍ以下、一例として０．３ｍｍとする。
【００１６】
シート１の片面又は両面に多数個の吸盤３、３・・・を該シート１と一体的に形成する。
【００１７】
各吸盤３は平面において一辺の長さが３ｍｍの正方形５の中に入る大きさの突起７を形成すると共に該突起７の表面に凹陥部９を形成してなる。
【００１８】
各突起７は、図４に示すように、平面において一辺の長さが３ｍｍの正方形５の中に入る大きさを有する。例えば、各突起７が円柱状体の場合には、各突起７の直径は３ｍｍ以下である。各突起７の大きさは、平面において一辺の長さが３ｍｍの正方形５の中に入る大きさを有するという限定内において、用途により異なる。
【００１９】
各突起７の平面形状は、円形、楕円形、四角形、多角形その他如何なるものであってもよい。
【００２０】
各突起７の高さは、好ましくは３ｍｍ以下、一例として０．３ｍｍとする。
【００２１】
凹陥部９は一例として皿状をなす。
【図面の簡単な説明】
【００２２】
【図１】本発明による吸盤シートの一例を示す平面図である。
【図２】同上吸盤シートの断面図である。
【図３】同上吸盤シートの別の一例を示す断面図である。
【図４】突起の大きさを示す平面図である。
【符号の説明】
【００２３】
１  シート
３  吸盤
５  正方形
７  突起
９  凹陥部
【図１】
2007252582.tif 000003
【図２】
2007252582.tif 000004
【図３】
2007252582.tif 000005
【図４】
2007252582.tif 000006